(57)【特許請求の範囲】
【請求項１】
光走査装置であって、
光ビームを出射する光源と、
第一絞り面と、該第一絞り面に対して間隔をあけて設けられる第二絞り面を有し、前記第一絞り面と前記第二絞り面との間で前記光源から出射された前記光ビームを整形する絞り部と、
前記絞り部により整形された前記光ビームを第一光ビームと第二光ビームとに分割するビーム分割手段と、
前記第一光ビームを集光する集光レンズと、
前記集光レンズにより集光された前記第一光ビームの光量を検出する光量検出センサと、
前記第二光ビームが感光体の表面を走査するように前記第二光ビームを主走査方向に偏向する偏向手段と、
を備え、
前記ビーム分割手段は、前記絞り部に当接し、
前記第一絞り面と前記第二絞り面とは、前記ビーム分割手段の入射面に対して互いに傾斜し、
前記光源からの前記光ビームが前記ビーム分割手段の前記入射面へ入射する入射角をα（＞０）とし、
前記ビーム分割手段の前記入射面に対する前記第一絞り面の主走査方向傾斜角度をθ1（＞０）とし、
前記ビーム分割手段の前記入射面に対する前記第二絞り面の主走査方向傾斜角度をθ2（＞０）とし、
前記第一光ビームの幅をＷ1とし、
前記集光レンズの光軸方向における前記ビーム分割手段と前記集光レンズとの間の距離をｄ1とし、
前記集光レンズの有効面の前記主走査方向の有効幅をＢ1としたときに、
−α＋ｔａｎ-1（（Ｂ1−Ｗ1）／２ｄ1） ＜ −（２θ1＋２θ2−α−π）
を満たすことを特徴とする光走査装置。
【請求項２】
前記ビーム分割手段と前記集光レンズとの間に配置され、前記第二光ビームを通過させる開口部を有する遮光壁を備えていることを特徴とする請求項１に記載の光走査装置。
【請求項３】
前記光源からの前記光ビームが前記ビーム分割手段の前記入射面へ入射する入射角をα（＞０）とし、
前記ビーム分割手段の前記入射面に対する前記第一絞り面の主走査方向傾斜角度をθ1（＞０）とし、
前記ビーム分割手段の前記入射面に対する前記第二絞り面の主走査方向傾斜角度をθ2（＞０）とし、
前記第一光ビームの幅をＷ1とし、
前記集光レンズの光軸方向における前記ビーム分割手段と前記遮光壁との間の距離をｇ1とし、
前記遮光壁の前記開口部の開口幅をＣ1のとしたときに、
−α＋ｔａｎ-1（（Ｃ1−Ｗ1）／２ｇ1）＜ −（２θ1＋２θ2−α−π）
を満たすことを特徴とする請求項２に記載の光走査装置。
【請求項４】
前記光源、前記絞り部、前記ビーム分割手段、前記集光レンズ、前記光量検出センサおよび前記偏向手段を保持する筐体を備え、
前記筐体と前記絞り部は、金属材料で一体に形成されていることを特徴とする請求項１乃至３のいずれか一項に記載の光走査装置。
【請求項５】
前記絞り部は、前記ビーム分割手段の前記入射面側の面に当接していることを特徴とする請求項１乃至４のいずれか一項に記載の光走査装置。
【請求項６】
前記絞り部は、前記第一絞り面の第一縁部及び前記第二絞り面の第二縁部により形成される絞り開口部を有しており、
前記ビーム分割手段は、前記第一縁部及び前記第二縁部に当接していることを特徴とする請求項１乃至５のいずれか一項に記載の光走査装置。
【請求項７】
前記集光レンズは、少なくとも前記主走査方向に前記第一光ビームを屈折させることを特徴とする請求項１乃至６のいずれか一項に記載の光走査装置。
【請求項８】
記録媒体に画像を形成する画像形成装置であって、
感光体と、
前記感光体の表面を走査する前記第二光ビームを出射する請求項１乃至７のいずれか一項に記載の光走査装置と、
前記光走査装置の光量検出センサにより検出された光量に基づいて、前記光源から出射される前記光ビームの光量を補正する光量補正手段と、
を備えることを特徴とする画像形成装置。
【請求項９】
光走査装置であって、
光ビームを出射する光源と、
第一絞り面と、該第一絞り面に対して間隔をあけて設けられる第二絞り面を有し、前記第一絞り面と前記第二絞り面との間で前記光源から出射された前記光ビームを整形する絞り部と、
前記絞り部により整形された前記光ビームを、反射光としての第一光ビームと透過光としての第二光ビームとに分割するビーム分割手段と、
前記第一光ビームを集光する集光レンズと、
前記集光レンズにより集光された前記第一光ビームの光量を検出する光量検出センサと、
前記第二光ビームが感光体の表面を走査するように前記第二光ビームを主走査方向に偏向する偏向手段と、
を備え、
前記ビーム分割手段は、前記絞り部に当接し、
前記第一絞り面は、前記ビーム分割手段の入射面の垂線に対して前記集光レンズ側に設けられ、
前記第二絞り面は、前記ビーム分割手段の入射面の垂線に対して前記光源側に設けられ、
前記第一絞り面に反射された後に前記第二絞り面に反射された前記光ビームが前記集光レンズの有効面に入射しないように、前記第一絞り面と前記第二絞り面とが前記ビーム分割手段の入射面に対して傾いて設けられていることを特徴とする光走査装置。
【請求項１０】
前記光源からの前記光ビームが前記ビーム分割手段の前記入射面へ入射する入射角をα（＞０）とし、
前記ビーム分割手段の前記入射面に対する前記第一絞り面の主走査方向傾斜角度をθ1（＞０）とし、
前記ビーム分割手段の前記入射面に対する前記第二絞り面の主走査方向傾斜角度をθ2（＞０）とし、
前記第一光ビームの幅をＷ1とし、
前記集光レンズの光軸方向における前記ビーム分割手段と前記集光レンズとの間の距離
をｄ1とし、
前記集光レンズの前記有効面の前記主走査方向の有効幅をＢ1としたときに、
−α＋ｔａｎ-1（（Ｂ1−Ｗ1）／２ｄ1） ＜ −（２θ1＋２θ2−α−π）
を満たすことを特徴とする請求項９に記載の光走査装置。
【請求項１１】
前記ビーム分割手段と前記集光レンズとの間に配置され、前記第二光ビームを通過させる開口部を有する遮光壁をさらに備えることを特徴とする請求項９または１０に記載の光走査装置。
【請求項１２】
前記光源からの前記光ビームが前記ビーム分割手段の前記入射面へ入射する入射角をα（＞０）とし、
前記ビーム分割手段の前記入射面に対する前記第一絞り面の主走査方向傾斜角度をθ1（＞０）とし、
前記ビーム分割手段の前記入射面に対する前記第二絞り面の主走査方向傾斜角度をθ2（＞０）とし、
前記第一光ビームの幅をＷ1とし、
前記集光レンズの光軸方向における前記ビーム分割手段と前記遮光壁との間の距離をｇ1とし、
前記遮光壁の前記開口部の開口幅をＣ1のとしたときに、
−α＋ｔａｎ-1（（Ｃ1−Ｗ1）／２ｇ1）＜ −（２θ1＋２θ2−α−π）
を満たすことを特徴とする請求項１１に記載の光走査装置。
【請求項１３】
前記光源、前記絞り部、前記ビーム分割手段、前記集光レンズ、前記光量検出センサおよび前記偏向手段を保持する筐体を備え、
前記筐体と前記絞り部は、金属材料で一体に形成されていることを特徴とする請求項９乃至１２のいずれか一項に記載の光走査装置。
【請求項１４】
前記絞り部は、前記ビーム分割手段の前記入射面側の面に当接していることを特徴とする請求項９乃至１３のいずれか一項に記載の光走査装置。
【請求項１５】
前記絞り部は、前記第一絞り面の第一縁部及び前記第二絞り面の第二縁部により形成される絞り開口部を有しており、
前記ビーム分割手段は、前記第一縁部及び前記第二縁部に当接していることを特徴とする請求項９乃至１４のいずれか一項に記載の光走査装置。
【請求項１６】
前記集光レンズは、少なくとも前記主走査方向に屈折力を有することを特徴とする請求項９乃至１５のいずれか一項に記載の光走査装置。
【請求項１７】
記録媒体に画像を形成する画像形成装置であって、
感光体と、
前記感光体の表面を走査する前記第二光ビームを出射する請求項９乃至１６のいずれか一項に記載の光走査装置と、
前記光走査装置の光量検出センサにより検出された光量に基づいて、前記光源から出射される前記光ビームの光量を補正する光量補正手段と、
を備えることを特徴とする画像形成装置。
【発明の詳細な説明】
【技術分野】
【０００１】
本発明は、光源からの光ビームを分割する分割部材を有する光走査装置および画像形成装置に関する。
【背景技術】
【０００２】
電子写真複写機、電子写真プリンタ等の電子写真画像形成装置（以下、画像形成装置という。）は、電子写真プロセスを用いて記録媒体に画像を形成する。画像形成装置は、光ビームで感光体上を走査する光走査装置を有する。光走査装置は、画像情報に従って変調された光ビームで感光体上を走査し、感光体上に静電潜像を形成する。静電潜像は、現像装置により現像剤（以下、トナーという。）でトナー像に現像される。トナー像は、転写装置により記録媒体に転写される。記録媒体上のトナー像は、定着装置により記録媒体に定着されて画像が形成される。
【０００３】
光走査装置は、光ビームを出射する半導体レーザ（以下、光源という。）と、光ビームを偏向するポリゴンミラー（以下、回転多面鏡という。）と、レンズ、ミラー等の結像光学素子とを有する。光源から出射された光ビームは、コリメータレンズにより略平行な光ビームに変換される。略平行な光ビームは、回転多面鏡により偏向される。偏向された光ビームは、結像光学素子により、移動する光スポットとして感光体上に結像される。光スポットは、副走査方向に移動する感光体上を主走査方向に繰り返し走査することにより、感光体上に静電潜像を形成する。
【０００４】
以下の説明において、主走査方向は、回転多面鏡の回転軸及び結像光学素子の光軸に垂直な方向である。光ビームは、回転多面鏡により主走査方向に偏向される。結像光学素子は、光源から回転多面鏡までの入射光学系と、回転多面鏡から感光体までの走査光学系とを構成する。入射光学系と走査光学系では、光軸の方向が異なる。副走査方向は、結像光学素子の光軸及び主走査方向に垂直な方向である。副走査方向は、回転多面鏡の回転軸に対して平行である。主走査断面は、結像光学素子の光軸と主走査方向とを含む平面に沿って取った断面である。副走査断面は、結像光学系の光軸を含み主走査断面に垂直な平面に沿って取った断面である。
【０００５】
光走査装置は、光源から出射される光ビームの光量を光センサにより検出し、検出値に基づいて光源の光量をフィードバック制御する自動光量制御が行われている。端面発光レーザの場合、光ビームを出射する端面と反対の裏面から光ビームの光量と相関関係を有するリア光（バックビーム）が出射される。従って、リア光を検出することにより、自動光量制御を行うことができる。
【０００６】
近年では、高速化および高走査密度化のために、光走査装置は、光源としてマルチビームレーザを用いている。マルチビームレーザとしては、アレイ化が容易な面発光レーザ（ＶＣＳＥＬ：Ｖｅｒｔｉｃａｌ  Ｃａｖｉｔｙ  Ｓｕｒｆａｃｅ  Ｅｍｉｔｔｉｎｇ  Ｌａｓｅｒ−Ｄｉｏｄｅ）が広く用いられている。面発光レーザは、端面発光レーザと異なり、裏面からリア光が出射されないので、光ビームを分割部材により分割し、分割された一方の光ビームを光センサにより検出して自動光量制御を行っている。
【０００７】
しかし、面発光レーザは、駆動電流や面発光レーザの素子自体の昇温により光ビームの光量分布の広がり形状（遠視野像、以下、ＦＦＰという。）が変化する特性を有する。図１１は、面発光レーザの素子自体の昇温により変化するＦＦＰを示す図である。ＦＦＰの変化により光センサへ入射する光ビームの光量が変化し、感光体上を走査する光ビームの光量に影響を与えることがある。
【０００８】
そこで、光ビームを分割部材により分割する前に絞り部材により光ビームを整形し、整形された光ビームを分割部材により分割し、分割された光ビームを光センサにより検出する（特許文献１）。ＦＦＰが変化しても、絞り部材により整形された光ビームを分割部材により分割するので、光センサにより検出される光ビームの光量と感光体上を走査する光ビームの光量との比率が一定となる。よって、自動光量制御を正確に行うことができる。
【０００９】
しかし、絞り部材の配置位置によっては、絞り部材で反射された光（迷光）が光センサへ入射することがある。迷光が光センサへ入射すると、光センサにより検出される光ビームの光量と感光体上を走査する光ビームの光量との比率が変化するので、自動光量制御を正確に行うことができないという問題がある。特に、アルミダイキャスト等の金属材料で筐体と一体に絞り部材を形成する場合、金属材料は、反射率が高いので、絞り部材により反射された迷光が光センサへ入射するおそれが高い。また、絞り部材を筐体とは別体の金属板で形成した場合も、同様に、金属板の反射率が高いので、絞り部材により反射された迷光が光センサへ入射するおそれが高い。
【００１０】
絞り部材により反射された迷光が光センサへ入射すると、光センサにより検出される光ビームの光量と感光体上を走査する光ビームの光量との比率が変化するので、自動光量制御を正確に行うことができない。それにより、画像不良を生じるという問題がある。
【先行技術文献】
【特許文献】
【００１１】
【特許文献１】特開２００６−０９１１５７号公報
【発明の概要】
【発明が解決しようとする課題】
【００１２】
本発明は、上記問題点に鑑みてなされたもので、絞り部により反射した光ビームが、光量検出センサに光ビームを集光する集光レンズの有効面に入射することを防止する光走査装置を提供する。
【課題を解決するための手段】
【００１３】
上記目的を達成するための本発明に係る光走査装置の代表的な構成は、
光走査装置であって、
光ビームを出射する光源と、
第一絞り面と、該第一絞り面に対して間隔をあけて設けられる第二絞り面を有し、前記第一絞り面と前記第二絞り面との間で前記光源から出射された前記光ビームを整形する絞り部と、
前記絞り部により整形された前記光ビームを第一光ビームと第二光ビームとに分割するビーム分割手段と、
前記第一光ビームを集光する集光レンズと、
前記集光レンズにより集光された前記第一光ビームの光量を検出する光量検出センサと、
前記第二光ビームが感光体の表面を走査するように前記第二光ビームを主走査方向に偏向する偏向手段と、
を備え、
前記ビーム分割手段は、前記絞り部に当接し、
前記第一絞り面と前記第二絞り面とは、前記ビーム分割手段の入射面に対して互いに傾斜し、
前記光源からの前記光ビームが前記ビーム分割手段の入射面へ入射する入射角をα（＞０）とし、
前記ビーム分割手段の前記入射面に対する前記第一絞り面の主走査方向傾斜角度をθ1（＞０）とし、
前記ビーム分割手段の前記入射面に対する前記第二絞り面の主走査方向傾斜角度をθ2（＞０）とし、
前記第一光ビームの幅をＷ1とし、
前記集光レンズの光軸方向における前記ビーム分割手段と前記集光レンズとの間の距離をｄ1とし、
前記集光レンズの前記有効面の前記主走査方向の有効幅をＢ1としたときに、
−α＋ｔａｎ-1（（Ｂ1−Ｗ1）／２ｄ1） ＜ −（２θ1＋２θ2−α−π）
を満たすことを特徴とする。
【発明の効果】
【００１４】
本発明によれば、絞り部により反射した光ビームが、光量検出センサに光ビームを集光する集光レンズの有効面に入射することを防止することができる。
【図面の簡単な説明】
【００１５】
【図１】実施例１の光源から光量センサまでの光路を示す説明図。
【図２】実施例１の光走査装置を有する画像形成装置の断面図。
【図３】実施例１の光走査装置を説明する図。
【図４】実施例１の光源駆動信号と同期信号のタイミング図。
【図５】実施例１の絞り部材の平面図。
【図６】光源の二つの発光部の配置を説明する図。
【図７】二つの発光部から出射される二つの光ビームの光路を説明する図。
【図８】回転多面鏡と絞り部材と間の距離を変えた場合の偏向点間隔の変化を説明する図。
【図９】迷光ビームが集光レンズの有効幅Ｂ1内へ入り込む参考例を示す図。
【図１０】実施例２の光源から光量センサまでの光路を示す説明図。
【図１１】面発光レーザの素子自体の昇温により変化するＦＦＰを示す図。
【発明を実施するための形態】
【００１６】
以下に図面を参照して、本発明を実施するための形態を例示的に詳しく説明する。ただし、この実施の形態に記載されている構成部品の寸法、材質、形状それらの相対配置などは、発明が適用される装置の構成や各種条件によって適宜変更されるべきものであり、この発明の範囲を以下の実施の形態に限定する趣旨のものではない。
【実施例１】
【００１７】
（画像形成装置）
図２は、実施例１の光走査装置１（１Ｙ、１Ｍ、１Ｃ、１Ｋ）を有する画像形成装置１０の断面図である。本実施例において、画像形成装置１０は、複数色のトナーを用いて画像を形成するデジタルフルカラープリンター（カラー画像形成装置）である。まず、図２を用いて、本実施例の画像形成装置１０を説明する。
【００１８】
画像形成装置１０は、４つの画像形成部（画像形成手段）１１（１１Ｙ、１１Ｍ、１１Ｃ、１１Ｋ）を有する。ここで、Ｙ、Ｍ、Ｃ及びＫは、イエロー、マゼンタ、シアン及びブラックをそれぞれ表している。画像形成部１１Ｙは、イエロートナーを用いてイエロー画像を形成する。画像形成部１１Ｍは、マゼンタトナーを用いてマゼンタ画像を形成する。画像形成部１１Ｃは、シアントナーを用いてシアン画像を形成する。画像形成部１１Ｋは、ブラックトナーを用いてブラック画像を形成する。４つの画像形成部１１は、現像剤（トナー）の色を除いて同一の構造を有するので、特に必要な場合を除き、以下の説明では、参照符号から添字Ｙ、Ｍ、Ｃ及びＫを省略する。
【００１９】
画像形成部１１は、像担持体として感光ドラム（以下、感光体という。）２を有する。感光体２の周りには、帯電装置３、光走査装置１、現像装置５、一次転写装置６及びドラムクリーニング装置４が配置されている。感光体２の下方には、無端ベルト状の中間転写ベルト（中間転写体）７が配置されている。中間転写ベルト７は、駆動ローラ６２、従動ローラ６３及び二次転写対向ローラ６５に張架されている。中間転写ベルト７は、画像形成中、図２の矢印Ｄで示す方向に回転する。
【００２０】
一次転写装置６は、中間転写ベルト７を介して感光体２に対向して配置されている。一次転写装置６は、感光体２上のトナー像を中間転写ベルト７へ一次転写する。ドラムクリーニング装置４は、一次転写後に感光体２上に残留したトナーを除去する。二次転写ローラ６６は、中間転写ベルト７を介して二次転写対向ローラ６５に対向して配置されている。二次転写ローラ６６は、中間転写ベルト７上のトナー像を記録媒体Ｓへ二次転写する。ベルトクリーニング装置６７は、中間転写ベルト７を挟んで従動ローラ６３に対向して配置されている。ベルトクリーニング装置６７は、二次転写後に中間転写ベルト７上に残留したトナーを除去する。
【００２１】
画像形成装置１０の下部には、記録媒体Ｓを収容する給紙カセット７８及び７９が配置されている。また、画像形成装置１０の側部には、記録媒体Ｓが載置される手差しトレイ（マルチ・パーパス・トレイ）７０が配置されている。記録媒体Ｓは、給紙カセット７８、給紙カセット７９又は手差しトレイ７０からそれぞれのピックアップローラ７１により給送される。記録媒体Ｓは、搬送ローラ７２及びレジストレーションローラ７３により二次転写ローラ６６へ搬送される。定着装置７４は、記録媒体Ｓの搬送方向において二次転写ローラ６６の下流側に配置されている。記録媒体Ｓの搬送方向において定着装置７４の下流側には、画像が形成された記録媒体Ｓを積載する排出トレイ７７が設けられている。
【００２２】
（画像形成プロセス）
次に、画像形成装置１０の画像形成プロセスを説明する。４つの画像形成部１１における画像形成プロセスは、同じであるので、イエロー画像形成部１１Ｙにおける画像形成プロセスを説明する。マゼンタ画像形成部１１Ｍ、シアン画像形成部１１Ｃ、及びブラック画像形成部１１Ｋにおける画像形成プロセスの説明は、省略する。
【００２３】
帯電装置３Ｙは、感光体２Ｙの表面を均一に帯電する。光走査装置１Ｙは、イエロー成分の画像情報に従って変調された光ビームを、均一に帯電された感光体２Ｙの表面に照射し、感光体２Ｙ上に静電潜像を形成する。現像装置５Ｙは、イエロートナー（現像剤）により静電潜像を現像してイエロートナー像とする。一次転写装置６Ｙは、感光体２Ｙ上のイエロートナー像を中間転写ベルト７上に一次転写する。
【００２４】
同様にして、マゼンタ画像形成部１１Ｍにより形成されたマゼンタトナー像は、中間転写ベルト７上のイエロートナー像の上に重ねて転写される。以下、シアントナー像およびブラックトナー像が、中間転写ベルト７上のマゼンタトナー像の上に順次重ねて転写される。その結果、中間転写ベルト７上に４色のトナー像が重ね合わされる。
【００２５】
手差しトレイ７０又は給紙カセット７８あるいは７９から搬送された記録媒体Ｓは、レジストレーションローラ７３により中間転写ベルト７上のトナー像とタイミングを合わせて二次転写ローラ６６へ搬送される。中間転写ベルト７上に重ね合わされた４色のトナー像は、二次転写ローラ６６により一括して記録媒体Ｓ上に二次転写される。トナー像が転写された記録媒体Ｓは、定着装置７４へ搬送される。定着装置７４は、記録媒体Ｓを加熱および加圧してトナー像を記録媒体Ｓに定着してフルカラー画像を形成する。フルカラー画像が形成された記録媒体Ｓは、排出トレイ７７へ排出される。
【００２６】
（光走査装置）
次に、図３を参照して、光走査装置１を説明する。図３は、実施例１の光走査装置１を説明する図である。実施例１においては、カラー画像を形成する画像形成装置１０の複数の画像形成部１１のそれぞれに設けられる光走査装置１を説明するが、光走査装置１は、単色のトナー（例えば、ブラック）のみで画像を形成する画像形成装置に用いてもよい。なお、４つの光走査装置１Ｙ、１Ｍ、１Ｃ及び１Ｋは、同様の構造を有するので、以下の説明においても、色を示す添え字Ｙ、Ｍ、Ｃ及びＫを省略する。
【００２７】
光走査装置１は、光ビームを出射する半導体レーザ（以下、光源という。）２０２、光ビームを偏向する回転多面鏡（偏向手段）２１０及びレンズ、ミラー等の光学素子（光学部材）を有する。図３中の点線は、光ビームを示している。光走査装置１の外枠としての光学ハウジング（以下、筐体という。）２４０は、光源２０２、回転多面鏡２１０及び光学素子を保持する。光学素子は、光源２０２からの光ビームを回転多面鏡２１０へ入射させる入射光学系及び回転多面鏡２１０により偏向された光ビームを感光体２へ結像させる結像光学系を構成する。筐体２４０は、さらに、シリンドリカルレンズ２０６、主走査絞り部（以下、絞り部材という。）２１１、ビーム分割器（分割部材）２０８、集光レンズ２１３及び光量センサ２０９を保持する。筐体２４０は、繊維強化樹脂等の樹脂材料、アルミダイキャスト等の金属部材その他の材料により形成することができる。
【００２８】
光源２０２を保持するレーザホルダ２０１は、筐体２４０に取り付けられている。本実施例においては、複数の発光部を有する面発光レーザ（ＶＣＳＥＬ）が光源２０２として用いられている。電気回路基板２０４は、光源２０２に電気的に接続されている。光源２０２を駆動する光源駆動回路２０７は、電気回路基板２０４に設けられている。光源駆動回路２０７は、ＣＰＵ２６０及び光源２０２に電気的に接続されている。ＣＰＵ２６０は、光源駆動回路２０７へ光源駆動信号３０１を出力して光源２０２の発光を制御する。
【００２９】
光源２０２は、レーザホルダ２０１に設けられた筒状の鏡筒２０１ａ内に保持されている。鏡筒２０１ａの先端部に、コリメータレンズ２０５を配置し、光ビームの光学特性を検出しながら照射位置やピントの調整を行い、コリメータレンズ２０５の位置を決定する。コリメータレンズ２０５と鏡筒２０１ａの先端部に紫外線硬化形の接着剤を塗布し紫外線を照射することにより、コリメータレンズ２０５を鏡筒２０１ａの先端部に固定する。コリメータレンズ２０５の光軸と光源２０２からの光ビームの光線中心とを精度良く合わせるために、光源２０２とコリメータレンズ２０５は、一部品として構成された鏡筒２０１ａにより保持されている。
【００３０】
筐体２４０の側壁には、レーザホルダ２０１を位置決めするための嵌合穴部（不図示）が設けられている。レーザホルダ２０１の鏡筒２０１ａに設けられた嵌合部（不図示）を筐体２４０の嵌合穴部（不図示）に嵌合させて、レーザホルダ２０１を筐体２４０に取り付けている。ここで、光源２０２の複数の発光部のピッチ間（副走査方向における間隔）は、レーザホルダ２０１を微小回転させることにより、感光体２を走査する際の複数の光ビームの間隔がほぼ所定値となるように調整されている。
【００３１】
回転多面鏡２１０は、モータ（不図示）により一定速度で回転させられ、光源２０２から出射された光ビームを偏向する。偏向された光ビームは、第１の結像レンズ２２１及び第２の結像レンズ２２２へ入射する。第１の結像レンズ２２１は、第２の結像レンズ２２２と共に光ビームを感光体２上で等速走査させ、且つ感光体２上にスポット結像させる樹脂成形されたｆθレンズである。第１の結像レンズ２２１は、シリンドリカルレンズで構成されており主走査方向のパワーを有している。第２の結像レンズ２２２は、副走査方向に結像させる。ここで、第１の結像レンズ２２１及び第２の結像レンズ２２２は、ポリカーボネイト(ＰＣ)やアクリルガラス(ＰＭＭＡ)などの樹脂材料を成形して作られている。このため、レンズ面の非球面化が可能で、感光体２上での主走査位置における像面湾曲等のピントのずれを低減可能である。
【００３２】
（ＢＤセンサ）
同期検知手段としての光検知センサ（以下、ＢＤ（Beam Detection）センサという。）２３０は、画像領域外に設けられている。ＢＤセンサ２３０は、光ビームを受光すると、主走査方向の同期信号３０２をＣＰＵ２６０へ出力する。同期信号３０２は、画像の主走査方向のプリント位置を、一定にするために用いられる。ＣＰＵ２６０は、同期信号３０２に基づいて画像端部の走査開始位置のタイミングを調整する。
【００３３】
（光量センサ）
光量センサ（光量検出手段）２０９は、光源２０２からの光ビームに対してＢＤセンサ２３０と反対の側で筐体２４０に保持されている。光量センサ２０９は、ビーム分割器（ビーム分割手段）２０８により分割された反射光ビームを受光すると、光量信号３０３をＣＰＵ２６０へ出力する。光量信号３０３は、光源２０２から出射される光ビームの光量を調整するために用いられる。ＣＰＵ２６０は、光量信号３０３に基づいて、光源２０２から出射される光ビームの光量をフィードバック制御する自動光量制御（ＡＰＣ：Automatic Power Control）を行う。ＣＰＵ２６０は、光量センサ２０９からの光量信号３０３に基づいて光ビームの光量を補正する光量補正手段として機能する。
【００３４】
（光源駆動信号と同期信号）
図４は、実施例１の光源駆動信号３０１と同期信号３０２のタイミング図である。光源駆動信号３０１は、自動光量制御において光源２０２を点灯させるためのＡＰＣ信号３０１ａと、感光体２に静電潜像を形成するためのビデオ信号３０１ｂとを有する。
【００３５】
ＣＰＵ２６０は、画像情報に基づいて変調されたビデオ信号３０１ｂを生成する。また、ＣＰＵ２６０は、ＢＤセンサ２３０からの同期信号３０２に基づいて画像領域指示信号３０４を生成する。ＣＰＵ２６０は、画像領域指示信号３０４に同期してビデオ信号３０１ｂを光源駆動回路２０７へ出力する。光源駆動回路２０７は、ビデオ信号３０１ｂに基づいて光源２０２を明滅させて光ビームにより感光体上に一走査分の光書き込みを行う。
【００３６】
一走査分の光書き込み終了から所定の時間Ｔａ経過後に、ＣＰＵ２６０は、光源駆動回路２０７へＡＰＣ信号３０１ａを出力する。光源駆動回路２０７は、ＡＰＣ信号３０１ａに基づいて光源２０２を点灯させて光ビームを出射する。光ビームは、ビーム分割器２０８により分割され、分割された光ビームは、光量センサ２０９へ入射する。光量センサ２０９は、光量信号３０３をＣＰＵ２６０へ出力し、ＣＰＵ２６０は、光量信号３０３に基づいて自動光量制御を行う。自動光量制御の完了とほぼ同時に光源２０２から出射された光ビームは、ＢＤセンサ２３０に入射する。ＢＤセンサ２３０は、同期信号３０２をＣＰＵ２６０へ出力する。自動光量制御が完了したタイミングで同期信号の検知を行うことにより、走査ごとに安定した光量で同期信号の検知を行うことができ、光量変動に伴う検知誤差を低減することができる。
【００３７】
（光ビームの光路）
次に、光源２０２から光量センサ２０９までの光路をさらに詳しく説明する。図１は、実施例１の光源２０２から光量センサ２０９までの光路を示す説明図である。図１（ａ）は、光路の斜視図である。図１（ｂ）は、光路の平面図である。光源２０２と回転多面鏡２１０との間に、コリメータレンズ２０５、シリンドリカルレンズ２０６、絞り部材（絞り手段）２１１及びビーム分割器２０８が配置されている。シリンドリカルレンズ２０６は、コリメータレンズ２０５と絞り部材２１１との間に配置されている。集光レンズ２１３は、絞り部材２１１と光量センサ２０９との間に配置されている。
【００３８】
光源２０２から出射された光ビームＬ１は、レーザホルダ２０１のコリメータレンズ２０５により略平行光に変換され、シリンドリカルレンズ２０６に入射する。光ビームＬ１は、回転多面鏡２１０上にほぼ線像として結像するように、シリンドリカルレンズ２０６により副走査断面内において収束させられる。
【００３９】
ビーム分割器２０８は、シリンドリカルレンズ２０６と回転多面鏡２１０との間に配置されている。ビーム分割器２０８は、光源２０２からの光ビームを第一光ビームと第二光ビームに分割する。本実施例において、ビーム分割器２０８は、反射光ビーム（第一光ビーム）Ｌ３と透過光ビーム（第二光ビーム）Ｌ２の比率がほぼ１：１の半透鏡（ハーフミラー）である。しかし、ビーム分割器２０８は、必ずしも半透鏡に限られるものではなく、光ビームを二つに分割する光学素子であればよい。ビーム分割器２０８は、筐体２４０からリブ状に設けられた絞り部材２１１に当接して絞り部材２１１に取り付けられている。絞り部材２１１は、光源２０２から出射された光ビームＬ１のビーム形状を主走査方向において所望の最適なビーム形状に整形する開口部２１１ｇが設けられている。ビーム分割器２０８は、光ビームＬ１の一部を入射面で反射する。ビーム分割器２０８により反射された反射光ビーム（第一光ビーム）Ｌ３は、光量センサ２０９へ導かれる。
【００４０】
ビーム分割器２０８を透過した透過光ビーム（第二光ビーム）Ｌ２は、回転多面鏡２１０に入射する。光ビームＬ２は、回転する回転多面鏡２１０により偏向され、ＢＤセンサ２３０へ入射する。ＢＤセンサ２３０は、回転多面鏡２１０により偏向された光ビームＬ２を検知して同期信号３０２を出力する。ＣＰＵ２６０は、同期信号３０２に基づいて画像端部の走査開始位置のタイミングを調整する。光源２０２は、ビデオ信号３０１ｂに基づいて変調された光ビームＬ１の出射を、調整されたタイミングで開始する。光ビームＬ１は、ビーム分割器２０８に入射し、ビーム分割器２０８を透過した光ビームＬ２は、回転多面鏡２１０により偏向される。偏向された光ビームＬ２は、第１の結像レンズ２２１を透過する。その後、光ビームＬ２は、第２の結像レンズ２２２を透過して感光体２上を走査し、感光体２を露光する。
【００４１】
ビーム分割器２０８と光量センサ２０９との間には、光量センサ２０９の受光面に光ビームＬ３を集光するために集光レンズ２１３が設けられている。集光レンズ２１３により光ビームＬ３を集光することにより、光量センサ２０９は、光量を安定して測定することができる。加えて、光量センサ２０９の受光面を小さくすることができるので、光量センサ２０９のコストダウンと応答性向上が達成できる。
【００４２】
（絞り部材）
図５は、実施例１の絞り部材２１１の平面図である。絞り部材２１１は、筐体２４０からリブ状に設けられている。本実施例において、絞り部材２１１は、金属材料で筐体２４０と一体に形成されている。しかし、絞り部材２１１は、樹脂材料で筐体２４０と一体に形成されてもよい。絞り部材２１１を筐体２４０と一体に形成することにより、筐体２４０に対する絞り部材２１１の位置を正確に設定することができる。しかし、絞り部材２１１は、筐体２４０と別体であってもよい。別体の絞り部材を筐体２４０に固定してもよい。ビーム分割器２０８は、絞り部材２１１に当接することにより位置決めされる。絞り部材２１１は、ビーム分割器２０８の光源２０２の側の面に当接している。絞り部材２１１は、ビーム分割器２０８の反射面（入射面）２０８ａに隣接する反射面２０８ａと同一平面２０８ｂ及び２０８ｃに当接しているとよい。ビーム分割器２０８は、絞り部材２１１に当接して一体に保持されている。
【００４３】
コリメータレンズ２０５、シリンドリカルレンズ２０６及びビーム分割器２０８は、光源２０２からの光ビームを回転多面鏡２１０へ入射させる入射光学系を構成する。図５に示すように、入射光学系の光軸ＯＡ１に対するビーム分割器２０８の反射面（入射面）２０８ａの垂線Ｎの主走査方向傾斜角度をα(＞０)とする。絞り部材２１１は、主走査方向に傾いて設けられた傾斜面（第一絞り面）２１１ａ及び傾斜面（第二絞り面）２１１ｃを有する。ビーム分割器２０８の反射面２０８ａに対する絞り部材２１１の傾斜面２１１ａの主走査方向傾斜角度をθ1（＞０）とする。ビーム分割器２０８の反射面２０８ａに対する絞り部材２１１の傾斜面２１１ｃの主走査方向傾斜角度をθ2（＞０）とする。光ビームＬ１の一部は、ビーム分割器２０８の反射面２０８ａにより反射され、反射光ビームＬ３は、集光レンズ２１３の光軸ＯＡ２に沿って集光レンズ２１３へ入射する。図１（ｂ）に示すように、集光レンズ２１３の光軸ＯＡ２の方向（光軸方向）におけるビーム分割器２０８と集光レンズ２１３との間の距離をｄ1とする。集光レンズ２１３の有効面の主走査方向の有効幅をＢ1とする。反射光ビームＬ３の幅をＷ1(＜Ｂ1)とする。
【００４４】
ここで、主走査方向傾斜角度θ1及びθ2以外の角度は、正負を持つ。ビーム分割器２０８の反射面２０８ａの垂線Ｎを角度の基準とする。ビーム分割器２０８の反射面（入射面）２０８ａへ入射する光ビームＬ１の入射角をα＞０とする。ビーム分割器２０８の反射面（入射面）２０８ａから反射する反射光ビームＬ３の反射角を−α＜０とする。
【００４５】
傾斜面２１１ａは、角度(π/2−θ1)が入射角αより大きくなるように主走査方向に傾いて設けられている。傾斜面２１１ｃは、角度（π/2−θ2）が入射角αより大きくなるように主走査方向に傾いて設けられている。絞り部材２１１は、光源２０２から出射された光ビームＬ１のビーム形状を整形する開口部２１１ｇが設けられている。開口部（主走査方向の絞り）２１１ｇは、傾斜面２１１ａのビーム分割器２０８の側の縁部（第一縁部）２１１ｂと傾斜面２１１ｃのビーム分割器２０８の側の縁部（第二縁部）２１１ｄとにより形成されている。絞り部材２１１の傾斜面（第一絞り面）２１１ａは、縁部２１１ｂと縁部２１１ｄとにより形成される絞りの中心に対して集光レンズ２１３の側（光源２０２と反対の側）に配置されている。絞り部材２１１の傾斜面（第二絞り面）２１１ｃは、縁部２１１ｂと縁部２１１ｄとにより形成される絞りの中心に対して光源２０２の側に配置されている。
【００４６】
光ビームＬ１をビーム分割器２０８により分割する前に、光ビームＬ１を絞り部材２１１により整形する。これにより、ビーム分割器２０８を透過する光ビームＬ２及びビーム分割器２０８により反射する光ビームＬ３は、ビーム分割器２０８により分割される前に同一の絞りで整形される。従って、光源２０２から出射された光ビームＬ１のＦＦＰが変化しても、光ビームＬ１のうち絞り部材２１１を直接通過する部分をビーム分割器２０８により分割した光ビームＬ３の光量と光ビームＬ２の光量の比率は、一定となる。しかし、光ビームＬ１のうち絞り部材２１１を直接通過しない部分が光量の比率に与える影響については後述する。
【００４７】
本実施例においては、複数の発光部を有する面発光レーザ（ＶＣＳＥＬ）が光源２０２として用いられている。複数の光ビームを出射するマルチビーム光源２０２を使用した場合、感光体２の表面上における複数の光ビームのそれぞれの結像位置が主走査方向にずれてしまい、そのずれ量が主走査方向の位置によって異なる主走査ジッターが生じることが知られている。
【００４８】
以下、簡単のために、光源２０２が二つの発光部Ａ及びＢを有すると仮定して、主走査ジッターを説明する。図６は、光源２０２の二つの発光部Ａ及びＢの配置を説明する図である。光源２０２は、二つの発光部Ａ及びＢが副走査断面に対して傾けて配置されている。図７は、二つの発光部Ａ及びＢから出射される二つの光ビームＬＡ及びＬＢの光路を説明する図である。図７に示すように、二つの発光部Ａ及びＢから出射された光ビームＬＡ及びＬＢは、絞り部材２１１で交差し、偏向点間隔Ｙ２だけ離れて回転多面鏡２１０の反射面２１０ａへ入射する。このため、回転多面鏡２１０により反射された光ビームＬＡ及びＬＢは、感光体２上において互いに主走査方向に離れた位置にスポットとして結像される。感光体２上の一端部における光ビームＬＡ及びＬＢの結像位置の間隔Ｙａ、中央部における結像位置の間隔Ｙｂ及び他端部における結像位置の間隔Ｙｃは、それぞれ異なっている。このように、主走査方向の位置によって結像位置の間隔（主走査方向の位置ずれ量）が異なる主走査ジッターが発生する。感光体２上における結像位置の主走査方向の位置ずれは、発光部Ａ及びＢの発光タイミングを調整することにより補正できるが、主走査方向の位置によって結像位置の間隔（主走査方向の位置ずれ量）が異なる場合、主走査ジッターを補正しきれない。
【００４９】
また、感光体２は、偏心成分を有していることがある。感光体２が偏心している場合、感光体２の回転中に、感光体２の表面が波線２′で示す位置へ移動する。感光体２の表面が波線２′で示す位置へ移動した場合、光ビームＬＡ及びＬＢの間隔Ｙａ′は、間隔Ｙａよりさらに広がる。
【００５０】
図８は、回転多面鏡２１０と絞り部材２１１と間の距離を変えた場合の偏向点間隔の変化を説明する図である。図８（ａ）は、回転多面鏡２１０と絞り部材２１１と間の距離ｄｓにおける偏向点間隔Ｙ２を示す。図８（ｂ）は、回転多面鏡２１０と絞り部材２１１と間の距離ｄｓを距離ｄｓ’へ増大したときの偏向点間隔Ｙ２’を示す。図８（ａ）及び図８（ｂ）から分かるように、回転多面鏡２１０と絞り部材２１１との間の距離ｄｓが遠くなりｄｓ′となると、偏向点間隔Ｙ２がＹ２′へ広がる。主走査ジッターを低減するためには、絞り部材２１１での光ビームＬＡとＬＢの交差角を低減すること及び偏向点間隔Ｙ２を低減する必要がある。従って、絞り部材２１１を回転多面鏡２１０に可能な限り近づけることが有効である。そこで、本実施例においては、絞り部材２１１を回転多面鏡２１０に可能な限り近づけるために、絞り部材２１１をビーム分割器２０８に当接させている。
【００５１】
上述した理由から、ビーム分割器２０８の光源２０２の側の反射面（入射面）２０８ａを縁部２１１ｂと縁部２１１ｄに近接して絞り部材２１１に当接して取り付けている。ビーム分割器２０８を絞り部材２１１に当接してビーム分割器２０８を絞り部材２１１と一体的に保持することにより、正確な自動光量制御と主走査ジッターの低減が可能となる。
【００５２】
しかし、ビーム分割器２０８を絞り部材２１１と一体的に保持する構成において光源２０２から出射される光ビームＬ１のＦＦＰが変化した場合、光量センサ２０９により検知される光量が変化する要因がある。光量センサ２０９により検知される光量の変化は、感光体２上を走査する光ビームＬ２と光量センサ２０９の光量との比率を変化させる。それによって、自動光量制御の精度が低下する。光量センサ２０９により検知される光量が変化する要因は、絞り部材２１１の傾斜面２１１ａと傾斜面２１１ｃとで多重反射する迷光ビームＳＬである。
【００５３】
迷光ビームＳＬが主走査方向に光学パワー（屈折力）を持つ集光レンズ２１３の有効幅Ｂ1内へ入り込む場合、光ビームＬ１のＦＦＰが変化すると、感光体２上を走査する光ビームＬ２と光量センサ２０９の光量との比率は、変化する。以下、図９を参照して、迷光ビームＳＬを説明する。図９は、迷光ビームＳＬが集光レンズ２１３の有効幅Ｂ1内へ入り込む参考例を示す図である。図９（ａ）は、迷光ビームＳＬの光路を示す平面図である。図９（ｂ）は、参考例の絞り部材３１１の平面図である。
【００５４】
例えば、図９に示す参考例において、光ビームＬ１の入射角αを２０度とする。ビーム分割器２０８の反射面２０８ａに対する絞り部材３１１の傾斜面３１１ａの主走査方向傾斜角度θ1（＞０）を５０度とする。ビーム分割器２０８の反射面２０８ａに対する絞り部材３１１の傾斜面３１１ｃの主走査方向傾斜角度θ2（＞０）を５０度とする。集光レンズ２１３の主走査方向の有効幅Ｂ1を１３ｍｍとする。集光レンズ２１３の光軸ＯＡ２の方向におけるビーム分割器２０８と集光レンズ２１３との間の距離ｄ1を３０ｍｍとする。
【００５５】
この場合、光源２０２から出射された光ビームＬ１は、絞り部材３１１の傾斜面３１１ａと傾斜面３１１ｃとにより多重反射され、迷光ビームＳＬとして集光レンズ２１３の有効幅Ｂ1内へ入り込む。迷光ビームＳＬは、集光レンズ２１３の主走査方向のパワーによって屈折し光量センサ２０９の受光面へ入射する。従って、光源２０２から出射される光ビームＬ１のＦＦＰが変化する場合、感光体２上を走査する光ビームＬ２と光量センサ２０９の光量との比率は、変化する。この比率の変化は、自動光量制御の精度を低下させるため、画像不良を生じる。
【００５６】
また、筐体２４０及び絞り部材２１１がアルミダイキャスト等の金属部材で一体成形されている場合、金属製の絞り部材２１１の反射率は、高いので、画像不良が顕在化しやすい。また、位置精度は低下するものの、絞り部材２１１を金属の板材で形成した場合も同様に反射率の高さから画像不良が生じやすい。
【００５７】
この問題を回避するために、図５に示す実施例１においては、迷光ビームＳＬが集光レンズ２１３の有効幅Ｂ1内へ入り込まないように、以下の（１）式を満足する。
−α＋tan-1((Ｂ1−Ｗ1)／２ｄ1) ＜ −(２θ1＋２θ2−α−π)・・・（１）
【００５８】
反射光ビームＬ３の幅Ｗ1は、絞り部材２１１の縁部２１１ｂと縁部２１１ｄとの間の距離と、反射ビームＬ３の反射角度−αにより決まる。迷光ビームＳＬは、反射光ビームＬ３の幅Ｗ1の方向において反射光ビームＬ３の外側で、傾斜面２１１ｃにより反射される。反射角度−αに対して、図１（ｂ）及び図５において絞り部材２１１基準にして、集光レンズ２１３よりも反時計まわり方向に角度ｔａｎ-1((Ｂ1−Ｗ1)／２ｄ1)以上有するように反射することができるとよい。そうすれば、集光レンズ２１３の有効面への迷光ビームＳＬの入り込みを確実に回避することができる。集光レンズ２１３の有効面は、集光レンズ２１３の鏡面であり、集光レンズ２１３の保持のための面やコバ部分の面を含まない。ビーム分割器２０８の反射面２０８ａの垂線Ｎに対する射光ビームＬ３の反射角−αから反時計まわり方向（正の方向）へ角度ｔａｎ-1((Ｂ1−Ｗ1)／２ｄ1)より回転した角度の方向へ迷光ビームＳＬが傾斜面２１１ｃにより反射されるとよい。そのように、傾斜面２１１ａの主走査方向傾斜角度θ1及び傾斜面２１１ｃの主走査方向傾斜角度θ2を設定する。
【００５９】
式（１）を満足することができれば、迷光ビームＳＬが光量センサ２０９の受光面に入り込むことはなく、光量センサ２０９の受光面上の光量と感光体２上の光量の比率が一定となり、正確に自動光量制御を行うことができる。
【００６０】
本実施例によれば、傾斜面２１１ａにより反射された迷光ビームＳＬが傾斜面２１１ｃにより反射されて集光レンズ２１３の有効面へ入射しないように、傾斜面２１１ａの主走査方向傾斜角度θ1及び傾斜面２１１ｃの主走査方向傾斜角度θ2が設定される。さらに、傾斜面２１１ｃにより反射された迷光ビームＳＬが傾斜面２１１ａにより反射されて集光レンズ２１３の有効面へ入射しないように、傾斜面２１１ａの主走査方向傾斜角度θ1及び傾斜面２１１ｃの主走査方向傾斜角度θ2が設定される。
【００６１】
また、傾斜面２１１ａにより反射した迷光ビームが直接に集光レンズ２１３の有効幅Ｂ1内へ入り込まないようにするために、傾斜面３１１ａの主走査方向傾斜角度θ1を１／２×ｔａｎ-1Ｂ1/ｄ1よりも大きくするとよい。
【００６２】
本実施例によれば、傾斜面２１１ａ及び２１１ｃを絞り部材２１１に設けたので、迷光ビームＳＬが、集光レンズ２１３の有効面に入射することを防止することができる。よって、光源２０２から出射される光ビームＬ１の光量を高精度に求めることができる。従って、光源２０２の光量制御を正確に行うことができる。
【実施例２】
【００６３】
次に、図１０を参照して、実施例２を説明する。実施例２において、実施例１と同様の構成には同様の参照符号を付して説明を省略する。実施例２の画像形成装置１０、光走査装置１、光量センサ２０９及び絞り部材２１１は、実施例１と同様であるので説明を省略する。
【００６４】
図１０は、実施例２の光源から光量センサまでの光路を示す説明図である。図１０（ａ）は、光路の斜視図である。図１０（ｂ）は、光路の平面図である。実施例２は、集光レンズ２１３の入射面の上流に開口幅Ｃ1（Ｗ1＜Ｃ1＜Ｂ1）の開口部２１４ａを有する遮光壁２１４を設けている点で実施例１と異なる。
【００６５】
遮光壁２１４は、ビーム分割器２０８と集光レンズ２１３との間に配置されている。遮光壁２１４の開口幅Ｃ1は、反射光ビームＬ３の幅Ｗ1より大きい（Ｗ1＜Ｃ1）ので、反射光ビームＬ３のビーム形状を整形することなく反射光ビームＬ３に遮光壁２１４の開口部２１４ａを通過させることができる。また、遮光壁２１４の開口幅Ｃ1は、集光レンズ２１３の主走査方向の有効幅をＢ1より小さい（Ｃ1＜Ｂ1）ので、集光レンズ２１３の実質的な主走査方向の有効幅を狭くすることができる。
【００６６】
集光レンズ２１３の入射面への迷光ビームＳＬの入り込みを回避するためには、図１０（ｂ）に示すように、迷光ビームＳＬが遮光壁２１４の開口幅Ｃ1内へ入り込まないようにする。実施例２においては、迷光ビームＳＬが遮光壁２１４の開口幅Ｃ1内へ入り込まないように、以下の（２）式を満足する。
−α＋tan-1((Ｃ1−Ｗ1)／２ｇ1) ＜ −(２θ1＋２θ2−α−π)・・・（２）
【００６７】
ここで、図１０（ｂ）に示すように、集光レンズ２１３の光軸ＯＡ２の方向（光軸方向）におけるビーム分割器２０８と遮光壁２１４との間の距離をｇ1とする。
【００６８】
迷光ビームＳＬは、反射光ビームＬ３の反射光ビームＬ３の幅Ｗ1方向において反射光ビームＬ３の外側で、傾斜面２１１ｃにより反射される。反射角度−αに対して、図１０（ｂ）において絞り部材２１１基準にして、集光レンズ２１３よりも反時計まわり方向に角度ｔａｎ-1((Ｃ1−Ｗ1)／２ｄ1)以上有するように反射することができるとよい。そうすれば、集光レンズ２１３の入射面への迷光ビームＳＬの入り込みを確実に回避することができる。ビーム分割器２０８の反射面２０８ａの垂線Ｎに対する射光ビームＬ３の反射角−αから反時計まわり方向（正の方向）へ角度ｔａｎ-1((Ｃ1−Ｗ1)／２ｄ1)より回転した角度の方向へ迷光ビームＳＬが傾斜面２１１ｃにより反射されるとよい。そのように、傾斜面２１１ａの主走査方向傾斜角度θ1及び傾斜面２１１ｃの主走査方向傾斜角度θ2を設定する。
【００６９】
式（２）を満足することができれば、迷光ビームＳＬが光量センサ２０９の受光面に入り込むことはなく、光量センサ２０９の受光面上の光量と感光体２上の光量の比率が一定となり、正確に自動光量制御を行うことができなる。
【００７０】
また、傾斜面２１１ａにより反射した迷光ビームが直接に遮光壁２１４の開口部２１４ａへ入り込まないようにするために、傾斜面３１１ａの主走査方向傾斜角度θ1を１／２×ｔａｎ-1Ｃ1/ｄ1よりも大きくするとよい。
【００７１】
本実施例によれば、迷光ビームＳＬが遮光壁２１４の開口部２１４ａへ入り込まないように迷光ビームＳＬを反射する傾斜面２１１ａ及び２１１ｃを絞り部材２１１に設けた。よって、光源２０２から出射される光ビームＬ１の光量を高精度に求めることができる。従って、光源２０２の光量制御を正確に行うことができる。
【符号の説明】
【００７２】
１・・・光走査装置
２０２・・・光源
２０８・・・ビーム分割器（ビーム分割手段）
２０９・・・光量センサ（光量検出手段）
２１０・・・回転多面鏡（偏向手段）
２１１・・・絞り部材（絞り手段）
２１１ａ・・・傾斜面（第一絞り面）
２１１ｃ・・・傾斜面（第二絞り面）
２１１ｇ・・・開口部
２１３・・・集光レンズ
Ｌ１・・・光ビーム
Ｌ２・・・透過光ビーム（第二光ビーム）
Ｌ３・・・反射光ビーム（第一光ビーム）
【図１】
0006436657.tif 000002
【図２】
0006436657.tif 000003
【図３】
0006436657.tif 000004
【図４】
0006436657.tif 000005
【図５】
0006436657.tif 000006
【図６】
0006436657.tif 000007
【図７】
0006436657.tif 000008
【図８】
0006436657.tif 000009
【図９】
0006436657.tif 000010
【図１０】
0006436657.tif 000011
【図１１】
0006436657.tif 000012